(57)【要約】【課題】本発明は、未使用時には折り畳んでコンパクト化できる携帯バッグに関し、簡単かつ迅速に折り畳むことができ、また、バッグの一部を利用して折り畳んだ状態を維持できる携帯バッグを提供する。【解決手段】布地を重ね合わせて形成されたバッグ本体１と、バッグ本体１の前面部と背面部の開口辺部から上方に相対するように一定巾をもって突出させた持ち手体５ａおよび５ｂから成り、バッグ本体１および持ち手体５ａおよび５ｂにはプリーツ加工が一様に施され、持ち手体５ａおよび５ｂがジグザグに折り畳まれたバッグ本体１を収納可能な形状を有し、収納した状態を維持する留め具を備えた携帯バッグであること。【選択図】図２
2008206840.tif 000002
【特許請求の範囲】
【請求項１】
布地を重ね合わせ一方が開放されるように周辺部を縫合して形成されるバッグ本体と、前記バッグ本体の前面部と背面部それぞれの開口辺部から上方に相対するように一定巾をもって突出させ、その先端部を縫合して形成される持ち手体とで構成され、前記持ち手体は折り畳まれた状態の前記バッグ本体を収納可能な形状を有し、収納した状態を維持する留め具を備えていることを特徴とする携帯バッグ。
【請求項２】
前記バッグ本体は、一枚の布地を折り返して重ね合わせ両側辺部を縫合して形成されていることを特徴とする請求項１記載の携帯バッグ。
【請求項３】
前記持ち手体は、前記バッグ本体の前面部と背面部の上辺部それぞれの両端を上方に相対するように一定巾をもって突出させ先端部を縫合したことを特徴とする請求項１記載の携帯バッグ。
【請求項４】
前記バッグ本体及び前記持ち手体は、前記持ち手体の突出方向とほぼ直交する方向にジグザグに折り畳まれた状態となるようにプリーツ加工が一様に施されていることを特徴とする請求項1から３のいずれかに記載の携帯バッグ。
【請求項５】
前記バッグ本体及び前記持ち手体は、前記持ち手体の突出方向に沿ってジグザグに折り畳まれた状態となるようにプリーツ加工が施されていることを特徴とする請求項1から３のいずれかに記載の携帯バッグ。
【請求項６】
一枚の布地を折り返して重ね合わせ両側辺部を縫合し折り返し部を底部として形成されたバッグ本体と、前記バッグ本体の前面部と背面部の上辺部それぞれの両端を上方に相対するように一定巾をもって突出させ、その先端部を縫合して形成される持ち手体とで構成され、前記持ち手体はジグザグに折り畳まれた状態となるようにプリーツ山とプリーツ谷の間隔を一定としたプリーツ加工が一様に施されている前記バッグ本体を巻き付けることにより収納可能な形状を有し、収納した状態を維持する留め具を備えていることを特徴とする携帯バッグ。
【発明の詳細な説明】
【技術分野】
【０００１】
本発明は、未使用時には折り畳んでコンパクト化できる携帯バッグに関するものであり、バッグ本体と前記バッグ本体の開口辺部から上方に相対するように一定巾をもって突出させて形成した持ち手体を有し、前記持ち手体が前記バッグ本体の収納を可能とした携帯バッグに関する。
【背景技術】
【０００２】
従来より、荷物が増えたときなどに使用するサブバックとして携帯バッグが存在するが、バッグを折り畳んだり丸めたりして携帯性を確保している。例えば、特許文献１では、折り畳んだり丸めたりして小さくしたバッグを維持するために、バッグの手提げ部に略方形状の包持材を装着したバッグが開示されている。
【０００３】
【特許文献１】実用新案登録第３０７８６３９号公報
【発明の開示】
【発明が解決しようとする課題】
【０００４】
上記携帯バッグにおいて特許文献１に開示される携帯バッグは、バッグ本体の一部に包持材を別に装着する必要があり、また、バッグ本体を折り畳む際、前記バッグ本体に折り目がないことから一定の形状で折り畳むことは困難である。
【０００５】
本発明は、未使用時には折り畳んでコンパクト化できる携帯バッグに関し、バッグ本体と一体化した持ち手体を利用して折り畳まれた状態を維持でき、また、布地を重ね合わせて形成したバッグ本体にプリーツ加工を一様に施すことにより前記バッグ本体を簡単かつ迅速に折り畳むことができる携帯バッグの提供を目的としている。
【課題を解決するための手段】
【０００６】
本発明に係る携帯バッグは、布地を重ね合わせ、一方が開放されるように周辺部を縫合して形成されるバッグ本体と、前記バッグ本体の前面部と背面部それぞれの開口辺部から上方に相対するように一定巾をもって突出させ、その先端部を縫合して形成される持ち手体とで構成され、前記持ち手体は折り畳まれた状態の前記バッグ本体を収納可能な形状を有し、収納した状態を維持する留め具を備えていることを特徴とする。
【０００７】
さらに、本発明に係る携帯バッグは、前記バッグ本体が一枚の布地を折り返して重ね合わせ両側辺部を縫合して形成されていることを特徴とする。
【０００８】
さらに、本発明に係る携帯バッグは、前記バッグ本体の前面部と背面部の上辺部それぞれの両端を上方に相対するように一定巾をもって突出させ先端部を縫合したことを特徴とする。
【０００９】
さらに、本発明に係る携帯バッグは、前記バッグ本体及び前記持ち手体が、前記持ち手体の突出方向とほぼ直交する方向または前記持ち手体の突出方向に沿って、ジグザグに折り畳まれた状態となるようにプリーツ加工が施されていることを特徴とする。
【００１０】
さらに、本発明に係る携帯バッグは、一枚の布地を折り返して重ね合わせ両側辺部を縫合し折り返し部を底部として形成されたバッグ本体と、前記バッグ本体の前面部と背面部の上辺部それぞれの両端を上方に相対するように一定巾をもって突出させ、その先端部を縫合して形成される持ち手体とで構成され、前記持ち手体はジグザグに折り畳まれた状態となるようにプリーツ山とプリーツ谷の間隔を一定としたプリーツ加工が一様に施されている前記バッグ本体を巻き付けることにより収納可能な形状を有し、収納した状態を維持する留め具を備えていることを特徴とする。
【発明の効果】
【００１１】
布地を重ね合わせ、一方が開放されるように周辺部を縫合して形成されたバッグ本体と、バッグ本体の開口辺部から前記布地を、一定巾をもって重ね合うように突出させて先端部を縫合した持ち手体にプリーツ加工を一様に施すことにより、プリーツの折り目を利用してバッグ本体および持ち手体を簡単かつ迅速にジグザク状に折り畳むことができ、折り畳みの手間を省くことができる。プリーツは折り畳みを促進するだけでなく、意匠的にも美観を与える効果を持つ。
【００１２】
また、布地を重ね合わせてプリーツ加工を施すことにより、バッグ本体の前面部と背面部のプリーツ形状が密着し、また、一枚の布地を折り返して重ねあわせて両側辺部を縫合し形成したバッグ本体は底部を縫合する必要がないため、縫製箇所を少なくできるとともに縫合した場合に比べて底部の強度が向上する。
【００１３】
また、前記持ち手体は前記バッグ本体に一体化されているため、縫製箇所が少なくてすむ。
【００１４】
また、前記バッグ本体と一体化した前記持ち手体を折り畳まれた前記バッグ本体に巻き付けて留め具で固定することにより、より簡単かつ迅速にコンパクトに収納できる携帯バッグとすることができる。
【００１５】
また、前記バッグ本体に巻き付けた前記持ち手体にもプリーツ加工が施されているため、前記持ち手体は留め具で固定した後もプリーツが持つ伸縮性の効果により前記バッグ本体に密着して巻き付いた状態となり、前記持ち手体が緩むことなく収納が可能となる。
【００１６】
また、プリーツが持つ柔軟性および伸縮性により、前記バッグ本体に物を収納した場合に、前記バッグ本体の形状が物の大きさに応じて自由に変化する。
【００１７】
また、
【発明を実施するための最良の形態】
【００１８】
以下、本発明の実施の形態を図に基づいて詳しく説明する。なお、以下に説明する実施の形態は本発明を実施するにあたって好ましい具体例であって、本発明は以下の実施の形態に限定されるものではない。
【００１９】
（第１実施形態）
まず、図１に示すように、１枚の布地を折り返して重ね合わせて正方形または長方形等の方形状にし、さらに持ち手体５ａおよび５ｂをバッグ本体１の開口辺部７から帯状に重ねあうように対で突出するようなバッグ形状を形成する。つまり、前面部１ａと背面部１ｂは1枚の布地から成る。なお、前記持ち手体を開口辺部から突出させる形状は、対とする必要はなく、図７に示すように中央付近（ａ）、一方の側辺部（ｂ）、側辺部近傍（ｃ）などから、１または複数突出させることも可能である。また、二枚の布地を重ねて正方形または長方形等の方形状を形成してもよい。
【００２０】
そして、バッグ本体１の両側辺部２を縫い目４により、また、持ち手体５ａおよび５ｂの先端部を縫い目６により縫合する。バッグ本体１の底部３は布の折り返し部とする。
【００２１】
突出方向とほぼ直交する方向に対する持ち手体５ａおよび５ｂの巾ＳＷは、全体巾Ｗの４分の１の巾とし、突出方向に対する持ち手体５ａおよび５ｂの長さＳＬは図２（ｂ）に示すように、折り畳まれたバッグ本体１を収納できる程度の長さとするのが好ましい。なお、前記巾ＳＷは必ずしも全体巾Ｗの４分の１とする必要はない。
【００２２】
また、バッグを形成する際にバッグ本体１および持ち手体５ａおよび５ｂの裁断端から出る糸のほつれを防ぐために行う、縁かがり縫いに使用する縫い糸、また、バッグ本体１の両側辺部２、および持ち手体５ａおよび５ｂの先端部を縫合するときに使用する縫い糸に、布地とは別の色の縫い糸を使用することによりファッション性を高めることができる。
【００２３】
図２（ａ）に示すように、図１のバッグ本体１と持ち手体５ａおよび５ｂを含むバッグ全体に、前記持ち手体の突出方向とほぼ直交する方向にジグザグ状に折り畳まれるようにプリーツ山とプリーツ谷の間隔を一定としたプリーツ加工を一様に施す。図２（ａ）はバッグ本体１と持ち手体５ａおよび５ｂにプリーツ加工を施し、拡開した状態を示している。前記プリーツ加工は半永久的であり、物の出し入れを繰り返し行ってもバッグ本体１と持ち手体５ａおよび５ｂの形状は変化せず、長期使用が可能である。また、縁かがり縫い糸が外部側に見えるようにバッグを形成しプリーツ加工を施すことにより、バッグ全体の厚みが均一になり折り畳みやすくなる。
【００２４】
本発明において、拡開した状態とはプリーツ加工してジグザグに縮んだ状態を引き伸ばして拡げた状態をいう。
【００２５】
また、バッグ形状に縫製した後でバッグ本体１および持ち手体５ａおよび５ｂを表裏反転させてプリーツを施し、縫製時にはバッグ本体および持ち手体５ａおよび５ｂの内部側であった面を外部側としてもよい。
【００２６】
プリーツ加工後、バッグ本体１の前面部１ａまたは背面部１ｂのどちらかの外部側上に留め具が取り付けられている。該留め具は、折り畳まれたバッグ本体１に拡開された持ち手体５ａまたは５ｂを巻き付けることで収納可能な状態を維持する。また、該留め具の取り付け位置は自由であるが、バッグ本体１から持ち手体５ａまたは５ｂが突出を開始する位置、また、突出方向とほぼ直交する方向に対して、側辺部から持ち手体巾ＳＷの半分となる位置に取り付けることが好ましい。なお、留め具の取り付け位置は５ａ側としているが、持ち手体５ａか５ｂのどちらか一方、または５ａと５ｂの両方に取り付けることも可能である。また、図２（ａ）では留め具としてボタン８を用いており、ボタン８を取り付けた側の持ち手体の先端にボタンホール９を形成するが、必ずしもボタンおよびボタンホールとする必要はなく、前記持ち手体をバッグ本体に巻き付けた状態に維持することが可能であれば、留め具の種類は自由であり、面ファスナーなどを用いることも可能である。
【００２７】
図２（ｂ）に示すように、持ち手体５ａを折り畳まれたバッグ本体１に巻き付け、ボタン８およびボタンホール９で掛止して持ち手体５ａの拡開状態を維持することでバッグ本体１を収納可能とする。
【００２８】
なお、バッグ本体１は以下のように折り畳むことができる。まず、図２（ａ）に示すプリーツ加工後の状態から、図３（ａ）に示すようにバッグ本体１をプリーツの折り目に沿い折り畳む。
【００２９】
次に、図３（ｂ）に示すように、折り畳んだバッグ本体１をさらに略４つ折り状態とする。
【００３０】
次に、図２（ｂ）に示すように、持ち手体５ａを拡開してバッグ本体１に巻き付け、ボタン８およびボタンホール９により掛止させれば、持ち手体５ａにより折り畳まれた状態のバッグ本体１を収納可能とすることができる。
【００３１】
（第２実施形態）
まず、図４に示すように、１枚の布地を折り返して重ね合わせて正方形または長方形等の方形状にし、さらに持ち手体５ａおよび５ｂをバッグ本体１の開口辺部７から帯状に重ねあうように対で突出するようなバッグ形状を形成する。つまり、前面部１ａと背面部１ｂは1枚の布地から成る。なお、前記持ち手体を開口変部から突出させる形状は、対とする必要はなく、図７に示すように中央付近（ａ）、一方の側辺部（ｂ）、側辺部近傍（ｃ）などから、１または複数突出させることも可能である。また、二枚の布地を重ねて正方形または長方形等の方形状を形成してもよい。
【００３２】
そして、バッグ本体１の両側辺部２を縫い目４により、また、前記気持ち手体５ａおよび５ｂの先端部を縫い目６により縫合する。布の折り返し箇所はバッグ本体１の底部３とする。
【００３３】
突出方向とほぼ直交する方向に対する持ち手体５ａおよび５ｂの巾ＳＷはバッグ全体巾Ｗの４分の１の巾とし、前記持ち手体が突出方向に対する長さＳＬはバッグ全体の長さＬの３分の１とするのが好ましい。なお、なお、前記持ち手体長さＳＬは必ずしも全体長さＬの３分の１とする必要はない。
【００３４】
また、バッグ本体１および持ち手体５ａおよび５ｂの裁断端から糸のほつれを防ぐために行う縁かがり縫いに使用する縫い糸、また、バッグ本体１の両側辺部２、および持ち手体５ａおよび５ｂの先端部を縫合するときに使用する縫い糸に、布地とは別の色の縫い糸を使用することによりファッション性を高めることができる。
【００３５】
図５（ａ）に示すように、図４のバッグ本体１と前記持ち手体５ａおよび５ｂを含むバッグ全体に、持ち手体５ａおよび５ｂの突出方向に沿ってジグザグ状に折り畳まれるようにプリーツ山とプリーツ谷の間隔を一定としたプリーツ加工が一様に施されている。図５（ａ）はバッグ本体１および持ち手体５ａおよび５ｂが拡開した状態を示している。前記プリーツ加工は半永久的であり、物の出し入れを繰り返し行ってもバッグ本体１と持ち手体５ａおよび５ｂの形状は変化せず、長期使用が可能である。また、縁かがり縫い糸が外部側に見えるようにバッグを形成しプリーツ加工を施すことにより、バッグ全体の厚みが均一になり折り畳みやすくなる。
【００３６】
また、バッグ形状に縫製した後でバッグ本体１および持ち手体５ａおよび５ｂを表裏反転させてプリーツを施し、縫製時にはバッグ本体および持ち手体５ａおよび５ｂの内部側であった面を外部側としてもよい。
【００３７】
前記プリーツ加工後、バッグ本体１の前面部１ａまたは背面部１ｂのどちらかの外部側上に留め具が取り付けられている。該留め具は、折り畳まれたバッグ本体１に拡開された持ち手体５ａまたは５ｂを巻き付けることで収納可能な状態を維持する。また、該留め具の取り付け位置は自由であるが、持ち手体の突出方向に沿った方向に対して持ち手体の長さが半分となる位置に取り付けることが好ましい。なお、留め具の取り付け位置は５ａ側としているが、持ち手体５ａか５ｂのどちらか一方、または５ａと５ｂの両方に取り付けることも可能である。また、図５（ａ）では留め具としてボタン８を用いており、図５（ａ）に示すように持ち手体の両側面のそれぞれに、ボタン８およびボタンホール９を形成する。しかし、必ずしもボタンおよびボタンホールとする必要はなく、持ち手体５ａを拡開した状態に維持することが可能であれば、留め具の種類は自由であり、面ファスナーなどを用いることも可能である。
【００３８】
図５（ｂ）に示すように、持ち手体５ａを拡開してバッグ本体１に巻き付け、ボタン８およびボタンホール９で掛止して持ち手体５ａの拡開状態を維持することでバッグ本体１を収納可能とする。
【００３９】
なお、バッグ本体１は以下のように折り畳むことができる。まず、図５（ａ）に示すプリーツ加工後の状態から、図６（ａ）に示すようにバッグ本体１をプリーツの折り目に沿い折り畳む。
【００４０】
次に、図６（ｂ）に示すように、バッグ全体を略３つ折り状態とする。
【００４１】
次に、図５（ｂ）に示すように、持ち手体５ａを拡開してバッグ本体１に巻き付け、ボタン８およびボタンホール９により掛止させれば、折り畳まれた状態のバッグ本体１を持ち手体５ａにより収納可能とすることができる。
【実施例】
【００４２】
以下に示すように、携帯バッグを形成した。
〈使用材料〉
布：ポリ乳酸繊維（ユニチカ（株）製「テラマック」）１６７テックスの加工糸を使用。
仕上密度：経糸７９本／１インチ、緯密度６４本／１インチのオレンジ色の生地。
縫い糸：綿糸（シキボウ（株）製「白鳥」生成色）
縁かがり糸：８０番手、地縫い糸（縫い合わせ）：５０番手、
ボタン付けおよびボタンホール：５０番手
〈形状寸法〉
バッグ本体巾（Ｗ）：３２ｃｍ、前記バッグ本体長さ（Ｌ）：３０ｃｍ
持ち手体巾（ＳＷ）：８ｃｍ、前記持ち手体長さ（ＳＬ）：１５ｃｍ
〈形成手順〉
１枚の布を折り返して重ね合わせ、形状寸法のとおりに裁断した。
裁断面にそって巾２ｍｍの縁かがり縫いを施した。
バッグ本体の側辺部と持ち手体の先端をそれぞれ縫い代が１センチとなるように縫合した。
バッグ本体に、持ち手体の突出方向とほぼ直交する方向に折り畳まれるように、バッグ全体にヒダ山からヒダ谷の巾が１ｃｍとなるプリーツ加工を施した。
持ち手体の先端から１５ｃｍ、側辺から４ｃｍを中心とした位置に、ポリ乳酸製のボタン（永井合成樹脂工業（株）製）直径１８ｍｍ）を取り付けた。また、先端から１ｃｍ、側辺から４ｃｍを中心とした位置に、ボタンホール（穴長２０ｍｍ）を形成した。
〈評価〉
形成したバッグについて、バッグ本体を持ち手体の突出方向とほぼ直交する方向にプリーツ加工に沿って折り畳み、さらに略４つ折りして、持ち手体を拡開してバッグ本体に巻き付けて、ホタンおよびボタンホールで掛止した。その結果、図２（ｂ）に示すような筒状の携帯バッグを得た。前記筒状携帯バッグの辺の長さは８ｃｍ、径は約５ｃｍとなり、持ち運びしやすい携帯バッグとなった。
【図面の簡単な説明】
【００４３】
【図１】第１実施形態に係る１枚の布地を底部で折り返し重ね合わせてバッグ形状した状態の斜視図
【図２】（ａ）は第１実施形態に係るバッグ本体および持ち手体にプリーツ加工を施し、拡開した態の斜視図。（ｂ）は第１実施形態に係る持ち手体をバッグ本体に巻き付けて留め具で掛止した状態の斜視図
【図３】（ａ）は第１実施形態に係るバッグ本体を折り畳んだ状態の斜視図。（ｂ）は第１実施形態に係るバッグ本体を略４つ折りに折り畳んだ状態の斜視図
【図４】第２実施形態に係る１枚の布地を底部で折り返し重ね合わせてバッグ形状とした状態の斜視図。
【図５】（ａ）は第２実施形態に係るバッグ本体および持ち手体にプリーツ加工を施し、拡開した状態の斜視図。（ｂ）は第２実施形態に係る持ち手体をバッグ本体に巻き付けて留め具で掛止した状態の正面図。
【図６】（ａ）は第２実施形態に係るバッグ本体および持ち手体を折り畳んだ状態の斜視図。（ｂ）は第２実施形態に係るバッグ全体を略３つ折りに折り畳んだ状態の正面図。
【図７】図１に示す第１実施形態に係るバッグ形状の他の形態。
【符号の説明】
【００４４】
１    バッグ本体
１ａ  バッグ本体の前面部
１ｂ  バッグ本体の背面部
２    バッグ本体の側辺部
３    底部
４    バッグ本体の側辺部の縫い目
５ａ、５ｂ  持ち手体
６    持ち手体先端の縫い目
７    開口辺部
８    ボタン
９    ボタンホール
ＳＷ  突出方向とほぼ直交する方向に対する持ち手体の巾
Ｗ    バッグ全体の巾
ＳＬ  突出方向に対する持ち手体の長さ
Ｌ    バッグ全体の長さ
【図１】
2008206840.tif 000003
【図２】
2008206840.tif 000004
【図３】
2008206840.tif 000005
【図４】
2008206840.tif 000006
【図５】
2008206840.tif 000007
【図６】
2008206840.tif 000008
【図７】
2008206840.tif 000009